(57)【特許請求の範囲】
【請求項１】
冊子のページめくりローラと、
該ローラを駆動するアクチュエータ等からなるページめくり手段と、
冊子を搬送する搬送ローラと、搬送路を構成する上下の固定された搬送ガイドと、ページめくり挙動に必要な空間を確保するために開閉可能なシャッタと、該シャッタの開閉手段とで構成される搬送手段と
を有するページ替え装置において、
前記ページめくりローラの回転駆動源を上記シャッタの開閉手段の開閉駆動源として共用し、前記ページめくりローラと連動して前記シャッタを開閉する構成を有するものであって、
通帳搬送路上の通帳がページめくり時に狭持される位置であり前記ページめくりローラの冊子搬送方向前後に２個の突起部を設け、ページめくり時は該突起部を支点に通帳が曲げられ、
前記下側搬送ガイドにおける２個の突起部の間を、該２個の突起部の外側よりも凹ませて構成し、
前記ページめくりローラと同一の駆動源にてシャッタの開閉動作を行うリンク機構を有し、該リンク機構は前記ページめくりローラがページをめくり上げる前に前記シャッタが開動作するよう作用し、ページがめくり上がった状態で当該開動作の作用を解放することを特徴とするページ替え装置。
【請求項２】
前記シャッタの開閉手段は、前記ページめくりローラの順回転方向と逆回転方向に応じておのおのの順めくりシャッタ、および逆めくりシャッタを開閉する構成を有することを特徴とする請求項１記載のページ替え装置。
【請求項３】
前記搬送手段は、前記シャッタの閉じ押えの解除を前記シャッタの開閉手段と連動して動作させる構成を有することを特徴とする請求項１または２記載ページ替え装置。
【発明の詳細な説明】
【０００１】
【発明の属する技術分野】
本発明は、通帳等の複数枚からなる冊子状媒体のページをめくる装置に関するものである。
【０００２】
【従来の技術】
従来のページ替え装置では、特開昭７−８１２７１号公報に記載されているように、シャッタは，その回転中心がページ替えローラと搬送ローラ内にあり，ページ替え時の紙の変形挙動により，持ち上がる構造であった。
【０００３】
【発明が解決しようとする課題】
上記の従来技術においては、シャッタの重さがページ替え時の紙の変形挙動を阻害する要因となってしまい，ページ替えミスの原因となっていた。
【０００４】
本発明の目的は、ページ替えミスを低減し、低コストで高性能なページ替え装置を提供することにある。
【０００５】
【課題を解決するための手段】
本発明の上記の目的は、ページめくりローラの回転にリンクして，シャッタが開く構造にすることによって達成される。
【０００６】
【発明の実施の形態】
以下、本発明の一実施例について図面を用いて詳細に説明する。
【０００７】
図1（ａ）は、本発明のページ替え装置の平面図である。ページ替え装置は，ゴムなどの弾性材料による中空構造部と低摩擦芯金部を有するページ替えローラ３と、搬送ローラ５ａ，５ｃと，搬送方向に前後する順シャッタ２ａ，逆シャッタ２ｂと，その順シャッタ２ａ，逆シャッタ２ｂのリンク機構１とページ替えガイド４等によって、形成されている。前記シャッタ２ａ，２ｂの幅ａは世界中の通帳を調査した結果，最小幅を示しており，幅ｂは最大幅を示している。シャッタ２ａ，２ｂの幅は少なくとも，幅ｂより大きい。また，ページ替えローラ３は少なくとも，幅ａ内に配置されている。
【０００８】
図１（ｂ）は，本発明のページ替え装置の側面図である。ページ替え装置は，前記リンク１は，カム１ａと順リンクアーム１ｂ，逆リンクアーム１ｃ，順リンク力点１ｄ，逆リンク力点１ｅ，順リンク支点１ｆ，逆リンク支点１ｇ，順リンク作用点１ｈ，逆リンク作用点１ｉ，搬送ローラ５ａ，５ｂ，５ｃ，５ｄ，搬送路６等からなっている。これら部品構成が作用する装置内での使われ方としては、例えば通帳プリンタにおいて記帳の際に満行となり改頁が必要な場合（以下順めくり）と、通帳取引き者が未だ記帳可能な行が残っているにも関わらず誤って次の頁を開いて通帳プリンタに挿入した時、あるいは前記順めくりにおいて装置が誤って複数枚頁をめくった時に反対方向にめくり返す場合（以下逆めくり）がある。尚、本実施例中では順めくり時に作用が必要な部品とその動作の頭に「順」、逆めくり時に作用が必要な部品とその動作の頭に「逆」を名称として付けている。
【０００９】
図２は，本発明の一実施例のリンク機構を示す。めくり動作を行うと、めくりローラ３（図示省略）とカム１ａは同期して回転する。回転方向Ａに回転したカム１ａａはローラ状の逆リンク力点１ｅと接触する。これによって，逆リンクアーム１ｃは逆リンク支点１ｇを中心に回動し，逆リンク作用点１ｉが逆シャッタ２ｂと接触しつつ開閉できるように上下動をおこなう。
【００１０】
この動作を横軸をカム１ａの回転角にとってみると，図３に示すようになる。図３を用いて，逆シャッタ動作を説明する。前記回転したカム１ａａとローラ状の逆リンク力点１ｅが接触し（１０），シャッタ２ｂが開き始める。さらに，カム１ａａが回転し，該カム１ａａの最外周と逆リンク力点１ｅが接触し始めと（１１），該シャッタ２ｂは最大角開いた状態を保つ。カム１ａａのエッジまでくると（１２），該シャッタ２ｂは徐々に閉じ始め，前記カム１ａａと逆リンク力点１ｅが非接触になり（１３），該シャッタ２ｂは閉じる。同様に，回転方向Ｂに回転したカム１ａｂはローラ状の順リンク力点１ｄと接触する。これによって，順リンクアーム１ｂは順リンク支点１ｆを中心に回動し，順リンク作用点１ｈが順シャッタ２ａと接触しつつ開閉できるように上下動をおこなう。
【００１１】
次に図３を用いて，順シャッタ動作を説明する。前記回転したカム１ａｂとローラ状の順リンク力点１ｄが接触し（１４），シャッタ２ａが開き始める。さらに，カム１ａｂが回転し，該カム１ａｂの最外周と順リンク力点１ｄが接触し始めと（１５），該シャッタ２ａは最大角開いた状態を保つ。カム１ａｂのエッジまでくると（１６），該シャッタ２ａは徐々に閉じ始め，前記カム１ａｂと順リンク力点１ｄが非接触になり（１７），該シャッタ２ａは閉じる。本実施例では，順めくりおよび逆めくり動作を一つの駆動軸より行うため，カム１ａの回転角１８０度を中心に順シャッタ２ａ，逆シャッタ２ｂの動きは対称となる。すなわち，順めくりを行う時には，実際のめくり動作領域となる前に逆側のシャッタが開く。実際にはめくり動作領域はおおむねめくりローラ３が通帳と接触する直前，すなわち１８０度より手前で開いてめくったページがシャッタ２ａあるいは２ｂと接触しなければ良いのだから，逆側のシャッタが前記の動作をしても問題はない。
【００１２】
図４を用いて，本発明の一実施例のページ替えガイドとページ替えローラ３の関係について，説明する。ページ替えガイドは順めくり用ページ替えガイド４と逆めくり用ページ替えガイド４ｃがあり、それらは頁替えローラ３の左右にそれぞれ配置されている（図１（ａ）参照）。まず図４（ａ）で順めくり用ページ替えガイド４について説明する。なお，順めくり用ページ替えガイド４と逆めくり用ページ替えガイド４ｃとは，中心軸２０において，左右対称形である。ページ替えローラ３の芯金部の順めくり用突起部３ａ（本図表面側）は，前記順ページ替えガイド４の側面４ａ（太線部）に初期状態では接触している。また，初期状態では，端面４ｂは，シャッタ２ａの開閉時の回転範囲内に位置し，該シャッタ２ａの開く動作を阻止するように位置している。ページ替えローラ３が回転方向Ａに回転し始めると，前記順めくり用突起部３ａと側面４ａは，一旦非接触状態になる。
【００１３】
さらに，該ページ替えローラ３が回転すると，再び，側面４ａの一部と前記順めくり用突起部３ａが接触し始める。しばらく，回転すると，前記順ページ替えガイド４は，回転軸２１を回転中心として，回転方向Ｃに回転し始める。これにより，前記順ページ替えガイド４の一部である端面４ｂが横方向に移動する。該端面４ｂは，前記シャッタ２ａが開くことを防止していたが，該移動により，該シャッタ２ａが開くことが可能となる。図４（ｂ）は逆めくり用頁替えガイド４ｃの作用を示す。頁替えローラ３が回転方向Ｂに回転する事で逆めくり用突起部３ｂ（本図裏面側）が逆めくり用ページ替えガイド４ｃの側面４ａを押して回転方向Ｃ'に移動させて，逆めくり用シャッタ２ｂが開くことを可能にしている。
【００１４】
また、ページ替えローラ３が回転方向Ｂに回転する時、すなわち逆めくり起動時、図４（ａ）において順めくり用突起部３ａは やはり順めくり用ページ替えガイド４の側面４ａに即、接し、順めくり用ページ替えガイド４は回転方向Ｃに回転する事で端面４ｂが上記同様の横方向に移動し、順めくり用シャッタ２ａの押えを解除、結果順めくり用シャッタ２ａは逆めくり時に本来開く事が必須である逆めくり用シャッタよりいち早く開く事になる。また、頁替えローラ３が回転方向Ａに回転するときすなわち順めくり起動時は図４（ｂ）において逆めくり用突起部３ｂは逆めくり用頁替えガイド４ｃの側面４ａに即、接し、逆めくり用頁替えガイド４ｃは回転方向Ｃ'に回転する事で端面４ｂが上記同様横方向に移動し逆めくり用シャッタ２ｂの押えを解除、結果逆めくり用シャッタ２ｂは順めくり時に本来開く事が必須である順めくり用シャッタ２ａよりいち早く開く事になる。このことは前記図３のシャッタ開閉のタイミングチャートを説明したように一つの駆動軸で順めくり用と逆めくり用のシャッタ開閉を行わせる為、駆動軸は回転方向に関わらず３６０°回転すれば、それぞれのシャッタは必要とするめくりの用途に関わらず前記図３タイミングチャートのごとき必ず１回は開閉動作を行う事になる。そこで、順逆頁めくり用ガイド４と４ｃは、頁替えローラ３の回転方向ＡＢいずれにおいてもシャッタ開閉の動きに連動してシャッタの押え解除を行う動きを必要とする訳である。
【００１５】
図５から図７を用いて，本発明における順めくり動作を説明する。通帳８は，搬送ローラによって，搬送路６内を搬送され，所定の位置で挟持されている（図５（ａ））。ページ替えローラ３が回転し始めると，リンク機構１のカム１ａａも同様に回転し始める。該カム１ａａが逆リンク力点１ｅに接触し始める。すると，逆リンク支点１ｇを中心に逆リンク１ｃが回転方向Ｄに回転し始め，逆リンク作用点１ｉが逆シャッタ２ｂを押し上げ，該逆シャッタ２ｂは，回転方向Ｅに回転し始める（図５（ｂ））。さらに，前記ページ替えローラ３が回転すると，前記逆シャッタ２ｂは最大角度開く（図５（ｃ））。引き続き，該ページ替えローラ３が回転すると，カム１ａｂが順リンク力点１ｄに接触し始める。すると，順リンク支点１ｆを中心に順リンク１ｂが回転方向Ｆに回転し始め，順リンク作用点１ｈが順シャッタ２ａを押し上げ，該順シャッタ２ａは，回転方向Ｇに回転し始める（図６（ｄ））。ここで，ページ替えローラ３の芯金部が通帳８に接触し始め，該通帳８は，ペーパパン７の突起部７ａを支点に曲げの１次モードで曲げられる。
【００１６】
該ページ替えローラ３が回転を続けると，前記順シャッタ２ａはその最大開き角度まで開く（図６（ｅ））。該ページ替えローラ３のゴム等の高摩擦弾性部材の中空構造した摩擦部が，前記通帳８の表面のページ８ａに接触し，めくりあがり始める（図６（ｆ））。その際，逆シャッタ２ｂは閉じ始める。さらに，該ページ替えローラ３が回転すると，逆シャッタ２ｂは閉じる（図７（ｇ））。ページ８ａは大きくめくれあがり，前記カム１ａｂは順リンク力点１ｄと非接触となり，順リンクアーム１ｂは，回転方向Ｈに回転し始める。同時に，該順シャッタ２ａは回転方向Ｉに閉じ始める（図７（ｈ））。ページ替えローラ３が初期角度に戻ると，順リンク１ｂは，初期位置に戻り，前記シャッタ２ａを押し上げている順リンク作用点１ｈから開放されるが，めくり上がったページ８ａにより，前記シャッタ２ａは開いたの状態を保つ。そして，通帳８を搬送方向Ｊに搬送することで，ページ替えが終了する（図７（ｉ））。以上が順めくり動作であるが、逆めくり動作においては頁替えローラ３の中心を左右鏡面対称形にした動作となるものである。
【００１７】
【発明の効果】
本発明によれば、低コストで高性能なページ替え装置提供できるという効果がある。
【００１８】
【図面の簡単な説明】
【図１】本発明を適用したページ替え装置の平面図および側面図。
【図２】本発明のリンク機構の平面図および側面図。
【図３】本発明のシャッタ動作を示すタイミングチャート
【図４】本発明を適用したページ替えローラとページ替えガイドの位置関係図
【図５】本発明を適用したページ替え装置の動作図。
【図６】本発明を適用したページ替え装置の動作図。
【図７】本発明を適用したページ替え装置の動作図。
【符号の説明】
１…リンク機構、２…シャッタ、３…ページ替えローラ、４…順ページ替えガイド、４ａ…ページ替えガイド側面、５…搬送ローラ、６…搬送路、７…ペーパパン、７ａ…突起部、８…通帳、８ａ…めくったページ
【図１】
0004366021.tif 000002
【図２】
0004366021.tif 000003
【図３】
0004366021.tif 000004
【図４】
0004366021.tif 000005
【図５】
0004366021.tif 000006
【図６】
0004366021.tif 000007
【図７】
0004366021.tif 000008